(57)【要約】      （修正有）【課題】クラブの手元とスイートスポットが直線の延長線上にあるように見える練習用ゴルフクラブを提供する。【解決手段】一方が手元、他方がスイートスポットを指す仮想シャフト７をゴルフクラブに装着し、スイングの練習をすることでボールのミート率を上げるものである。またヘッドの付いていないシャフトに前記仮想シャフト７を装着した練習具もある。前記練習具には、前記ヘッドの付いていないシャフトのグリップ側の先端に、グリップの軸線に対し、交差する方向に軸線を有するウエイトが装着され、そのウエイトは前記クラブヘッドの付いていないシャフトのグリップの軸線を中心に回転する方向に可動できる。さらに通常のゴルフクラブのグリップ側先端に同様のウエイトを装着したものもある。【選択図】図５
2006326273.tif 000002
【特許請求の範囲】
【請求項１】
ゴルフクラブのシャフトに沿って、所定の長さの仮想シャフトを装着し、その仮想シャフトの両端は一方が手元、他方がクラブヘッドのスイートスポット付近を指すことを特徴とするゴルフクラブ。
【請求項２】
前記仮想シャフトは、ゴルフクラブのシャフトに対し任意に角度調節、取り外し可能である請求項１に記載のゴルフクラブ。
【請求項３】
前記仮想シャフトの先端に、視覚に訴えるマークを備え、当該マークは、発光体、反射テープ、蛍光塗料の塗布体の少なくともいずれかからなり、マークによりスイング軌道が視認できる請求項１に記載のゴルフクラブ。
【請求項４】
前記仮想シャフトは伸縮自在で、その長さが調節でき、仮想シャフトのクラブヘッド側端部がクラブヘッドから退避し、クラブヘッドで実際にボールが打てる請求項１に記載のゴルフクラブ。
【請求項５】
仮想シャフトは、金属パイプ、プラスチックパイプ、カーボンパイプ、伸縮可能なパイプ、スプリング、ゴムひも、糸ひも、ロープ、レーザー光線、ライトの光のいずれかからなる請求項１に記載のゴルフクラブ。
【請求項６】
ゴルフクラブのシャフトへの取り付け具を有し、この取り付け具により、前記ゴルフクラブのシャフトに着脱自在とした仮想シャフトからなり、取り付け具によるシャフトへの装着時に、仮想シャフトの一端が手元、他端がクラブヘッドのスイートスポット付近を指すことを特徴とする練習器具。
【請求項７】
クラブヘッドの付いていないシャフトに沿って、所定の長さの仮想シャフトを装着し、前記仮想シャフトの両端は一方が手元、他方が本来付いているはずのクラブヘッドのスイートスポット付近を指すことを特徴とする仮想シャフト付き練習用シャフト。
【請求項８】
前記仮想シャフト先端に、ゴム製のキャップを備える請求項７に記載の仮想シャフト付き練習用シャフト。
【請求項９】
前記仮想シャフト先端に視覚に訴えるマークを備え、当該マークは、発光体、反射テープ、蛍光塗料の塗布体の少なくともいずれかからなり、マークによりスイング軌道が視認できる請求項７に記載の仮想シャフト付き練習用シャフト。
【請求項１０】
前記仮想シャフト及び前記クラブヘッドの付いていないシャフトの先端に、取り外し可能であるウエイトを備え、前記ウエイトの重さを調節することで、バランスを変えて練習ができる請求項７に記載の仮想シャフト付き練習用シャフト。
【請求項１１】
前記クラブヘッドの付いていないシャフトのグリップ側の先端から、グリップの軸線に対し、交差する方向に軸線を有するウエイトを装着した請求項７に記載の仮想シャフト付き練習用シャフト。
【請求項１２】
前記クラブヘッドの付いていないシャフトのグリップ側の先端に装着した、グリップの軸線に対し、交差する方向に軸線を有するウエイトが、前記クラブヘッドの付いていないシャフトのグリップの軸線を中心に回転する方向に可動できる請求項７に記載の仮想シャフト付き練習用シャフト。
【請求項１３】
ゴルフクラブのグリップ側の先端に、グリップの軸線に対し、交差する方向に軸線を有するウエイトを装着した練習用ゴルフクラブ。
【請求項１４】
前記ゴルフクラブのグリップ側の先端に装着した、グリップの軸線に対し、交差する方向に軸線を有するウエイトが、前記ゴルフクラブのグリップの軸線を中心に回転する方向に可動できる請求項１３に記載の練習用ゴルフクラブ。
【請求項１５】
所定の長さのゴルフクラブに、クラブヘッドの付いていないシャフトを沿わせ、前記クラブヘッドの付いていないシャフトに、練習時に握るためのグリップを取り付けた練習用ゴルフクラブ。
【請求項１６】
前記ゴルフクラブは、任意に前記クラブヘッドの付いていないシャフトとの間隔を調節する調節手段を有する請求項１５に記載の練習用ゴルフクラブ。
【発明の詳細な説明】
【技術分野】
【０００１】    本発明は練習用ゴルフクラブ及びゴルフの練習器具に関するものである。
【背景技術】
【０００２】    ゴルフクラブは、シャフトの先端にクラブヘッドが取り付けられているが、そのスイートスポットはシャフトの中心軸から偏っている。このようなゴルフクラブでボールをジャストミートすることは難しい。その原因をクラブヘッドのスイートスポットがシャフトの中心線から離れていることにあると考える。つまり図１に示すように、クラブフヘッドがシャフトに対しオフセットしてついているため、打点がシャフトの延長線上に無いからということである。【０００３】    人間の感覚としては手元の延長線上に打点があることが自然である。つまり図２に示すように通常の箸は対象物をつかむ先端が手元から一直線なため、対象物をつかむときなんら苦労を要しない。しかし図３に示すような箸の場合、手元と実際に対象物をつかむ先端が直線上に無いため、対象物を上手くつかむには訓練と慣れを必要とする。次に図４に示すような箸があったとすると、この箸は形状は複雑だが手元と対象物をつかむ先端は直線上を外れないため、バランス上の難しさはあるが図３と比べると比較的容易に対象物をつかむことができる。【０００４】    つまり手元と、対象に直接接する点とが一直線上にあれば、その作業は容易であると考えられる。【０００５】    そこでゴルフの場合、シャフトの位置とずれて打点となるクラブフェイスがあるため、手元の延長線上であるシャフトの先端がボールの手前を通過することで正しくボールが打てる。ここで実際の目標であるボールに対したとき、その目標とずれた手前をスイングしなければならないことにゴルフの難しさがある。【０００６】    さらにゴルフクラブの重心もシャフトの中心軸からずれている。この重心をスイング中コントロールすることもゴルフにおいて難しいことである。つまり先端が極端に重く、しかも重心がシャフトの中心軸からずれているゴルフクラブを、バランスよく振ることは難しい。【０００７】    なお、関連する先行技術文献として次のような文献がある。
【特許文献１】    特開２０００−５３５８
【発明の開示】
【発明が解決しようとする課題】
【０００８】    つまりそのオフセットをイメージ上でもゼロにすること、及び重心がコントロールできれば比較的容易にボールをミートできる。【０００９】    すなわち本発明は、クラブを握る手元とスイートスポット付近が、あたかも直線で延長線上にあるかのように目から脳に情報を伝達すること、及び重心のコントロール性を高めることをその要旨とする。つまり手元のシャフトの延長線上に打点があるような感覚と意識を植え付け、先端が極端に重いクラブを動かす、手元の動かし方を習得することで、重心のコントロール性を高め、効率の良いスイングを身に付けることができる練習用ゴルフクラブ及び練習器具を提供することを目的とする。
【課題を解決するための手段】
【００１０】    上記の目的を達成するため、ゴルフクラブのシャフトに沿って、所定の長さの仮想シャフトを装着し、その仮想シャフトの両端は一方が手元、他方がクラブヘッドのスイートスポット付近を指すことを特徴とするゴルフクラブを提供する。このスイートスポットは、クラブヘッドの重心の前方に位置するため、上記構成とすることで、重心のコントロール性が向上する。【００１１】    前記仮想シャフトは、ゴルフクラブのシャフトに対し任意に角度調節、取り外し可能である。また前記仮想シャフトの先端に、視覚に訴えるマークを備え、当該マークは、発光体、反射テープ、蛍光塗料の塗布体の少なくともいずれかからなり、マークによりスイング軌道が視認できるものである。さらに前記仮想シャフトの中には伸縮自在で、その長さが調節でき、仮想シャフトのクラブヘッド側端部がクラブヘッドから退避し、クラブヘッドで実際にボールを打つことができるものもある。【００１２】    そして前記仮想シャフトの種類は、金属パイプ、プラスチックパイプ、カーボンパイプ、伸縮可能なパイプ、スプリング、ゴムひも、糸ひも、ロープ、レーザー光線、ライトの光などがあり、どれも効果は同じである。【００１３】    また通常のゴルフクラブに装着して、前記ゴルフクラブと同様の機能を持ち、同様の効果を生む、仮想シャフトとクラブへの取り付け具からなる練習器具も提供する。【００１４】    すなわち、ゴルフクラブのシャフトへの取り付け具を有し、この取り付け具により、前記ゴルフクラブのシャフトに着脱自在とした仮想シャフトからなり、取り付け具によるシャフトへの装着時に、仮想シャフトの一端が手元、他端がクラブヘッドのスイートスポット付近を指すことを特徴とする練習器具である。【００１５】    さらに、クラブヘッドの付いていないシャフトに沿って、所定の長さの仮想シャフトを装着し、前記仮想シャフトの両端は一方が手元、他方が本来なら付いているクラブヘッドのスイートスポット付近を指している仮想シャフト付き練習用シャフトも提供する。そして前記仮想シャフト先端には、ゴムなどのキャップを備える。【００１６】    さらに、前記仮想シャフト先端に視覚に訴えるマークを備え、当該マークは、発光体、反射テープ、蛍光塗料の塗布体の少なくともいずれかからなり、マークによりスイング軌道が視認できるものもある。【００１７】    また前記仮想シャフト及び前記クラブヘッドの付いていないシャフトの両端付近に、取り外し可能であるウエイトを備え、前記ウエイトの重さを任意に調節することで、バランスを変えて練習できるものもある。【００１８】    また、前記クラブヘッドの付いていないシャフトのグリップ側先端に、グリップの軸線に対し、交差する方向に軸線を有するウエイトを装着したものもある。【００１９】    さらに、前記クラブヘッドの付いていないシャフトのグリップ側先端に装着した、グリップの軸線に対し、交差する方向に軸線を有するウエイトが、前記クラブヘッドの付いていないシャフトのグリップの軸線を中心に回転する方向に可動できるものもある。【００２０】    また通常のゴルフクラブのグリップ側先端に、グリップの軸線に対し、交差する方向に軸線を有するウエイトを装着した練習用ゴルフク���ブもある。通常のゴルフクラブが極端にクラブヘッド側に重量があること、及びクラブヘッドの重心距離から来る不安定なバランスを改善し、理想的なスイングを身につけられる。【００２１】    さらに、前記ゴルフクラブのグリップ側先端に装着した、グリップの軸線に対し、交差する方向に軸線を有するウエイトが、グリップの軸線を中心に回転する方向に可動できるものもある。【００２２】    また、所定の長さのゴルフクラブに、クラブヘッドの付いていないシャフトを沿わせ、前記クラブヘッドの付いていないシャフトに、練習時に握るためのグリップを取り付けた練習用ゴルフクラブもある。つまり前記クラブヘッドの付いていないシャフトの中心軸から、前記ゴルフクラブのヘッドの重心位置が通常のゴルフクラブよりさらに遠くなることとなり、効果的に重心のコントロール性を身に付けることができる。
【発明の効果】
【００２３】    本発明の前記練習用クラブあるいは前記練習器具、前記仮想シャフト付き練習用シャフトで練習すると、手元の延長線上でボールを打つ感覚になるため、格段にミート率が上がる。通常ボールに集中しすぎるとゴルフクラブのシャフトの先端でボールを打ってしまうことが多くある。いわゆるゴルフ用語でいうところのソケットやシャンクである。理由は、自然と手元の延長線上でボールを打とうと身体が反応するからである。しかし仮想シャフトをイメージしてスイングするとそのようなミスは減り、ボールに集中すればするほどミート率が上がる。【００２４】    またアドレス時に、スイートスポットから飛球線前方にボール１個分程度先に、前記仮想シャフトのクラブヘッド側端部をボールに合わせて構えると、インパクトに理想的な構えとなりやすい。つまりハンドファーストの形でインパクトを迎えやすくなる。【００２５】    さらに、通常はシャフトとヘッドのオフセットにより、スウイング時にクラブのバランスは不安定となりスイングが乱れることがある。しかし前記仮想シャフトの装着によりバランスが改善され、またそれに意識を集中することによって、視覚からもたらされる従来のクラブオフセットの影響が緩和され、安定したスイングを身につけやすい。つまり不必要なクラブのローリングなどが抑えられ、テイクバックを初めとして、ダウンスイングからフォローまでスイング全体が安定する。【００２６】    また、前記仮想シャフト付き練習用シャフトにおいては、クラブヘッドが無いため、ヘッド付きと比べ、不安定なバランスから解放され、正しいスイングを身につけ易い。またスイングした際、前記仮想シャフトの手元側と反対側の先端で目標をスイングできれば、通常のゴルフクラブのスイートスポットでボールを打つことが出来る。【００２７】    また、副次的効果として二本のシャフトから空気を切る音が出るため、ヘッドスピードの最大点を音で認識できる。【００２８】    また、前記仮想シャフト付き練習用シャフトの前記ヘッドの付いていないシャフトの手元側先端に、グリップの軸線に対し、交差する方向に軸線を有するウエイトを装着したもので練習すると、スイング中、重力によって前記ウエイトの先端が地面を指そうとするため、不必要なクラブのローリングが減少する。【００２９】    また、右打ちの場合、左手の小指、あるいは小指と薬指を前記ウエイトにかけてグリップすることにより、前記ウエイトを中心とする、安定したスイングプレーンを描くことが可能になる。つまり小指部分のグリップエンドを中心にクラブが動くことで、安定したスイングプレーンとなる。さらに、左手首をフラットに保ちやすく、不必要に左手首が折れてしまうことを抑止できる。しばらく練習を続けると、通常のゴルフクラブに持ち替えても、この状態と感覚を再現できるようになる。左打ちの場合は左右が逆になる【００３０】    さらに、前記ウエイトをグリップの軸線を中心に回転させ、その角度を調節することで、通常のゴルフクラブをスイングする際にヘッドがオープンになったりクローズになったりするプレイヤーの癖や、アウトサイド・イン、あるいはインサイド・アウトのスイングプレーンも修正できる。【００３１】    また前記ヘッドの付いていないシャフトと前記仮想シャフトが、スイング中プレイヤーから見て、１本に重なり合って見えるようにスイングすることが、正しいスイングの軌道である。つまり通常のゴルフクラブでスイングした時に、シャフトのスイングプレーンと重心が描くスイングプレーンとが平行に位置していることとなるためである。【００３２】    また、通常のゴルフクラブのグリップ側先端に、グリップの軸線に対し、交差する方向に軸線を有するウエイトを装着したもので練習すると、前記ウエイトがクラブヘッドとバランスし、安定した正しいスイングが身に付く。【００３３】    また、所定の長さのゴルフクラブに、クラブヘッドの付いていないシャフトを沿わせ、前記クラブヘッドの付いていないシャフトに、練習時に握るためのグリップを取り付けた練習用ゴルフクラブでスイングすると、重心距離が通常のゴルフクラブよりさらに遠くなることとなり、重心への意識が高まり、効果的に重心のコントロール性を身に付けることができる。練習時に、前記ゴルフクラブのシャフトと前記クラブヘッドの付いていないシャフトが、プレイヤーから見て１本に重なり合って見えるようにスイングするとさらに重心のコントロール性が上がる。
【発明を実施するための最良の形態】
【００３４】    図５は本発明の第１実施例を示す。図５に示すようにゴルフクラブに前記仮想シャフトが装着される。前記仮想シャフトの一方はスイートスポット付近を、他方はクラブを握る手元を指している。また、図６に示すように前記仮想シャフトを、スイートスポットから飛球線の前方向ボール１個分程度先に、前記仮想シャフトのクラブヘッド側端部が来るようにセットすると理想のハンドファーストの構えとなる。この状態でアドレスしてみると、手元から真っ直ぐにのびた仮想シャフトのクラブヘッド側端部でボールを打つ感覚になる。【００３５】    次に図７に示すように、ボールではなく練習用マットなどの上にボール大の印をつけておき、それをボールだと思いスイングをしてみる。その際大切なことは、あくまでも前記仮想シャフトのクラブヘッド側端部をその前記ボールに見立てた印の上を通過させることである。これが練習となる。【００３６】    この練習を、正確に前記仮想シャフトのクラブヘッド側端部で前記ボールに見立てた印の上を通過させられるようになるまで続けた後、通常のゴルフクラブで実際にボールを打ってみる。するとこれまで以上に正確に、しかも簡単にボールをジャストミートすることができる。【００３７】    また前記仮想シャフトの長さを調節することによって、前記仮想シャフトを装着したままでボールを打つことも可能である。【００３８】    そして以下には本発明のその他の実施例を上げる。【００３９】    実施例のポイントは（１）前記仮想シャフトが固定式か脱着式か（２）前記仮想シャフトのバリエーション（３）実際にボールを打つことが可能か不可能か（４）脱着式の場合の固定具のバリエーションの４点と、前記事前練習用シャフト、及び前記仮想シャフト付き練習用シャフトである。【００４０】    そして（１）と（２）と（３）は全ての組み合わせが可能である。また（２）と（３）と（４）も全ての組み合わせが可能である。（３）については前記仮想シャフトのクラブヘッド側端部の長さを短くするか、前記固定具の位置を変え、クラブヘッドから退避させることで可能となる。よって本発明の第２実施例以降は前記仮想シャフトのバリエーションと前記固定具のバリエーションを示すことで実施事例とする。【００４１】    最初に前記仮想シャフトのバリエーションから上げる。まずは前記仮想シャフトがパイプ状の形態である場合である。先に示した図５の第１実施実例がこれである。材質は金属、プラスチィック、カーボンなどが考えられる。【００４２】    次に図８に第２実施実例を示す。前記仮想シャフトが伸縮可能なものである。【００４３】    次に図９に第３実施事例を示す。前記仮想シャフトがひも状の形態である。ゴムひも、糸ひも、ロープ、スプリング、針金などが考えられる。【００４４】    次に図１０に第４実施事例を示す。前記仮想シャフトに光線を利用した形態である。レーザー光線、ライトの光などである。【００４５】    次に前記仮想シャフトとゴルフクラブとの前記固定具のバリエーションである。この前記固定具は、（あ）ゴルフクラブのシャフト側の固定部と（い）仮想シャフト側の固定部から成る。そして同時に前記仮想シャフトの角度調節機能も兼ね備えたものである。（あ）と（い）は全ての組み合わせが可能である。【００４６】    まずは前記シャフト側の固定具のバリエーションを上げる。図１１、図１２に第５実施事例を示す。金具やプラスチィックなどを使ってねじなどで締め付け固定する形態である。【００４７】    次に図１３、図１４、図１５に第６実施事例を示す。クラブシャフトがテーパー状であることを利用して、取り付け具も切れ込みのあるテーパーになった筒状の形にしておき、スライドさせることで固定する方法。同形状のゴムなどを挟み込み滑り止めとする。【００４８】    次に前記仮想シャフト側の固定具のバリエーションを上げる。図１５、図１６、図１７に第７実施事例を示す。前記仮想シャフトがパイプの場合、それを固定するためにＵ字状のボルトや、パイプの径に合わせて曲げてあるプレートなどで固定したり、文具にあるようなクリップ状のもので挟んで固定する。またそれらは容易に角度の調節ができる。【００４９】    次に図１８に第８実施事例を示す。前記仮想シャフトがひも状の物の場合、ひも状の前記仮想シャフトの両端にフックをつけておく。そして取り付け具側には穴を数個あけて置きその穴に両端のフックをかけたり縛ったりして固定する。またフックをかける穴を変えることで、ひも状の前記仮想シャフトとゴルフクラブとの角度が変えられる。【００５０】    そして上記以外の場合も、その前記仮想シャフトが固定できるようにし、その際必ず角度調節機能を備える。また左打ち用も全て右打ち用と同様である。【００５１】    次に図１９に第９実施事例となる前記仮想シャフト付き練習用シャフトを示す。図１９に示すように、クラブヘッドの付いていないシャフトに沿って、所定の長さの仮想シャフトを装着し、前記仮想シャフトの両端は一方が手元、他方が本来なら付いているクラブヘッドのスイートスポット付近を指している。そして、前記仮想シャフト先端には、ゴム製などのキャップを備える。【００５２】    また、前記仮想シャフト先端に視覚に訴えるマークを備え、当該マークは、発光体、反射テープ、蛍光塗料の塗布体の少なくともいずれかからなり、マークによりスイング軌道が視認できるものもある。【００５３】    次に図２０に第１０実施例をあげる。前記仮想シャフト及び前記クラブヘッドの付いていないシャフトの両端に、取り外し可能であるウエイトを備え、前記ウエイトの重さを調節することで、バランスを変えて練習ができる前記仮想シャフト付き練習用シャフトである。【００５４】    次に図２１に第１１実施例をあげる。前記クラブヘッドの付いていないシャフトのグリプ側先端に、グリップの軸線に対し、交差する方向に軸線を有するウエイトを装着した前記仮想シャフト付き練習用シャフトである。【００５５】    前記ウエイトはグリップの軸線を中心に回転する方向に可動できる【００５６】    次に図２２に第１２実施例をあげる。通常のゴルフクラブのグリップ側先端にグリップの軸線に対し、交差する方向に軸線を有するウエイトを装着した練習用ゴルフクラブ。【００５７】      また、前記ウエイトは、前記ゴルフクラブのグリップの軸線を中心に回転する方向に可動できる【００５８】    次に図２３に第１３実施例をあげる。所定の長さのゴルフクラブに、クラブヘッドの付いていないシャフトを沿わせ、前記クラブヘッドの付いていないシャフトに、練習時に握るためのグリップを取り付けた練習用ゴルフクラブである。前記クラブヘッドの付いていないシャフトと前記ゴルフクラブとの間隔は任意に調節できる。図２４に示すように、両者はネジとナットで固定されているため、ナットの締め付け位置を変えることで、容易に前記クラブヘッドの付いていないシャフトの中心軸から、クラブヘッドの重心までの距離を変えて練習ができる。
【図面の簡単な説明】
【００５９】
【図１】ゴルフクラブとスイートスポット
【図２】箸
【図３】箸
【図４】箸
【図５】仮想シャフトを装着した練習用クラブの側面図
【図６】仮想シャフトを装着した練習用クラブの正面図
【図７】練習用マット
【図８】伸縮する仮想シャフト
【図９】ひも状の仮想シャフト
【図１０】光を利用した仮想シャフト
【図１１】ねじで締め付けて固定するクラブシャフト固定具
【図１２】ねじで締め付けて固定するクラブシャフト固定具
【図１３】テーパーを利用して固定するクラブシャフト固定具
【図１４】テーパーを利用して固定するクラブシャフト固定具
【図１５】ねじで締め付けて固定する仮想シャフト固定具
【図１６】ねじで締め付けて固定する仮想シャフト固定具
【図１７】スプリングなどの力で挟んで固定する仮想シャフト固定具
【図１８】フックをかけるための穴などを有する仮想シャフト固定具
【図１９】仮想シャフト付き練習用シャフト
【図２０】ウエイト
【図２１】コントロールウエイト付き仮想シャフト付き練習用シャフト
【図２２】コントロールウエイト付きゴルフクラブ
【図２３】重心コントロール養成練習用クラブ
【図２４】調節ねじ
【符号の説明】
【００６０】１ゴルフクラブ
２ゴルフクラブシャフト
３ゴルフクラブヘッド
４ゴルフクラブグリップ
５スイートスポット
６箸
７仮想シャフト
８スイングの目印
９固定具
１０滑り止めゴム
１１シャフト固定部
１２仮想シャフト固定部
１３ゴム製キャップ
１４ウエイト
１５コントロールウエイト
１６ナット
【図１】
2006326273.tif 000003
【図２】
2006326273.tif 000004
【図３】
2006326273.tif 000005
【図４】
2006326273.tif 000006
【図５】
2006326273.tif 000007
【図６】
2006326273.tif 000008
【図７】
2006326273.tif 000009
【図８】
2006326273.tif 000010
【図９】
2006326273.tif 000011
【図１０】
2006326273.tif 000012
【図１１】
2006326273.tif 000013
【図１２】
2006326273.tif 000014
【図１３】
2006326273.tif 000015
【図１４】
2006326273.tif 000016
【図１５】
2006326273.tif 000017
【図１６】
2006326273.tif 000018
【図１７】
2006326273.tif 000019
【図１８】
2006326273.tif 000020
【図１９】
2006326273.tif 000021
【図２０】
2006326273.tif 000022
【図２１】
2006326273.tif 000023
【図２２】
2006326273.tif 000024
【図２３】
2006326273.tif 000025
【図２４】
2006326273.tif 000026